(57)【特許請求の範囲】
【請求項１】
吸引ポンプを内蔵した本体と、該本体に着脱可能に構成されたフィルター部材と、該フィルター部材を介して本体に着脱可能に構成されたボトル部材と、を有する医療用吸引器であって、
吸引ポンプを内蔵した本体は、側面に前記吸引ポンプと接続された吸引口が配置され、上面に前記吸引ポンプの動作を制御するスイッチと、前記吸引ポンプによる吸引圧力を調整する圧力調整器とが配置され、前記吸引口が配置された側面以外の側面の外面には、該側面から突出して形成されたペーシェントホースを巻き付けるための巻付部と、該巻付部の突出した端部に形成されたフランジ部と、該フランジ部の表面に形成され太さの異なるペーシェントホース毎に対応させた径を有する円弧状の溝からなりペーシェントホースを保持する複数の保持溝と、を有する巻付部材が配置されていることを特徴とする医療用吸引器。
【発明の詳細な説明】
【技術分野】
【０００１】
本発明は、患者の体液や分泌物を吸引するための医療用吸引器に関し、特に在宅医療に利用し得るようにした医療用吸引器に関するものである。
【背景技術】
【０００２】
病院や診療所等の医療機関では、手術室や病室に各種の医療用吸引器が設置されている。例えば手術室に設けた医療用吸引器は、手術の際に生じた血液を含む体液や患部を洗浄する際に用いた生理食塩水等を吸引して凝固処理し得るように構成されている。また、病室に設けた医療用吸引器は、たんを含む患者の分泌物を吸引して凝固処理し得るように構成されている。
【０００３】
医療機関で利用される医療用吸引器は、蓋体を被蓋することによって気密状態に保持され、吸引した体液や分泌物等を収容するボトルと、このボトルを着脱可能に取り付けて保持するボトル保持体と、を有して構成されるのが一般的である。そして、ボトルの内部に吸引圧力を作用させると共に、蓋体に取り付けたペーシェントホースを患部に適用することで、体液や分泌物を吸引してボトルに収容し得るように構成されている。このような医療用吸引器では、ボトルの内部に収容袋を設けておき、ペーシェントホースを介して吸引された体液や分泌物を収容袋に収容して凝固処理し、凝固した収容袋ごと廃棄処分し得るように構成されているのが一般的である。
【０００４】
また、医療機関では手術室や病室毎に吸引圧力が作用する吸引用の配管が設置されており、この吸引用の配管と医療用吸引器とを接続ホースで接続することで、ボトルの内部及び該ボトルを介してペーシェントホースに吸引圧力を作用させることができる。そして、吸引圧力が作用するペーシェントホースを患部に適用して体液や分泌物を吸引することができる。特に、ペーシェントホースは、非使用時にはボトル保持体に設けたフックに巻き掛けられており、使用時にはフックから外して直ちに吸引し得るように構成されている。
【発明の概要】
【発明が解決しようとする課題】
【０００５】
在宅医療の推進に伴って、家庭で安全且つ容易に使用することができる医療用吸引器の開発が要求されている。特に、ペーシェントホースは先端を分泌物が滞留している患部まで延長する必要があり、一般的に数メートルの長さを有している。医療機関で使用されている医療用吸引器では広い空間が確保されているため、ペーシェントホースを単にフックに巻き掛けて整理することで大きな問題はない。しかし、在宅医療の場合、広い空間を期待することができず、ペーシェントホースを如何にして速やかに使用し得るようにして整理するか、は解決すべき課題である。
【０００６】
本発明の目的は、ペーシェントホースを速やかに使用し得るようにし、且つ使用後は整理することができる在宅医療に利用し得る医療用吸引器を提供することにある。
【課題を解決するための手段】
【０００７】
上記課題を解決するために本発明に係る医療用吸引器は、吸引ポンプを内蔵した本体と、該本体に着脱可能に構成されたフィルター部材と、該フィルター部材を介して本体に着脱可能に構成されたボトル部材と、を有する医療用吸引器であって、吸引ポンプを内蔵した本体は、側面に前記吸引ポンプと接続された吸引口が配置され、上面に前記吸引ポンプの動作を制御するスイッチと、前記吸引ポンプによる吸引圧力を調整する圧力調整器とが配置され、前記吸引口が配置された側面以外の側面にペーシェントホースを巻き付けるための巻付部材が配置されているものである。
【０００８】
上記医療用吸引器に於いて、前記巻付部材は、本体の側面から突出して形成されたペーシェントホースを巻き付けるための巻付部と、該巻付部の突出した端部に形成されたフランジ部と、該フランジ部の表面に形成され太さの異なるペーシェントホース毎に対応させた径を有する円弧状の溝からなりペーシェントホースを保持する複数の保持溝が形成されている。
【発明の効果】
【０００９】
本発明に係る医療用吸引器（以下単に「吸引器」という）では、吸引器の本体に吸引ポンプが内蔵されているため、所望の場所に搬送して使用することができる。特に、商用電源やバッテリー電源を利用することで、一般家庭であっても利用することができる。また、本体の側面に巻付部材が配置されているので、この巻付部材にペーシェントホースを巻き付けることで整理することができ、広い空間を期待できない一般家庭でも利用することができる。このため、在宅医療に利用して有利である。
【００１０】
また、巻付部材のフランジ部にペーシェントホースを保持する保持溝が形成されているので、該巻付部材に巻き付けたペーシェントホースの端末部分を保持溝に嵌合させることで、安定した巻き付け状態を保持することができる。このため、ペーシェントホースの端末部分が自由に動くことがなく、巻付部材に対する巻き付け状態を安定して保持することができる。
【図面の簡単な説明】
【００１１】
【図１】本実施例に係る吸引器の構成を説明する正面図である。
【図２】本体の側面図であり、巻付部材の構成を説明する図である。
【図３】吸引器の裏面側から見た本体の内部構造を説明する図である。
【図４】吸引器の展開図である。
【発明を実施するための形態】
【００１２】
以下、本発明に係る吸引器の構成について説明する。本発明に係る吸引器は、在宅医療を推進するために家庭で利用することが可能なように小型化をはかると共に、所望の使用場所に容易に移動させて利用し得るようにしたものである。そして、吸引器の非使用時にはペーシェントホースの合理的な整理を実現したものである。
【００１３】
本実施例に係る吸引器の全体構成について図１〜図４を用いて説明する。本実施例に係る吸引器は、吸引ポンプ１３を内臓した本体Ａと、本体Ａに着脱可能に構成されたフィルター部材Ｂと、フィルター部材Ｂに着脱可能に構成されると共に該フィルター部材Ｂを介して吸引圧力が作用し、端部２ａを接続したペーシェントホース２を介して吸引された患者の分泌物（以下、体液や分泌物を含めて「吸引物」という）を収容するボトル部材Ｃと、を有して構成されている。
【００１４】
特に、本体Ａにはペーシェントホース２を巻き付ける巻付部材１が配置されており、該巻付部材１を利用することで、非使用時に長尺状のペーシェントホース２が乱雑になることなく、整理することが可能である。そして、吸引器を移動させる際には、ペーシェントホース２を巻付部材１に巻き付けた状態を保持することが可能であり、更に、吸引する際には、ペーシェントホース２を容易に巻付部材に対する巻き付け状態を解除することが可能である。
【００１５】
本体Ａは、底板１１とカバー１２とによって全体が閉鎖された構造を有している。底板１１は端部がカバー１２から突出して形成されており、該突出部がボトル部材Ｃを載置する載置部１１ａとして形成されている。また、底板１１のカバー１２によって閉鎖された内部空間に吸引ポンプ１３が配置されおり、該吸引ポンプ１３の吸引側には吸引ホース１３ａが接続され、排気側には排気ホース１３ｂが接続されている。
【００１６】
上記吸引ホース１３ａは、カバー１２の上面１２ｂに配置した圧力調整器１４を介してカバー１２の側面となる側壁１２ａに配置された吸引口１５と接続されており、該吸引口１５を介してフィルター部材Ｂと接続される。また、排気ホース１３ｂは底板１１に配置した排気フィルター１６に接続されており、吸引ポンプ１３によって吸引した空気を排気フィルター１６を介して大気中に放出し得るように構成されている。
【００１７】
圧力調整器１４は吸引圧力を調整するものであり、カバー１２の上面１２ｂに露出した摘み１４ａを操作することで、最適な吸引圧力に調整することが可能である。特に、本実施例では、吸引ポンプ１３による吸引流量が略一定であることから、吸引圧力のみを調整することが可能となる。
【００１８】
カバー１２の端部であって底板１１の載置部１１ａと対応する側壁１２ａは、載置すべきボトル部材Ｃの外径形状に対応した形状に形成されている。本実施例では、ボトル部材Ｃは円筒型のボトル体を有するため、側壁１２ａは平面視が円弧状に形成されている。
【００１９】
側壁１２ａに於ける吸引口１５に対応させた部位に、フィルター部材Ｂを吸引口１５に装着し或いは離脱させる際の移動を案内する案内部１８が設けられている。案内部１８は、側壁１２ａに配置された吸引口１５を幅方向の中心として振り分けた両側に曲面状の案内面１８ａが夫々形成されており、これらの案内面１８ａの間に溝１８ｂが形成されている。また、夫々の案内面１８ａの溝１８ｂとは反対側の端部は起立壁１８ｃに接続されている。従って、案内部１８の幅寸法は、対峙した起立壁１８ｃの間隔によって規定されている。
【００２０】
案内部１８を構成する夫々の案内面１８ａ及び溝１８ｂ、起立壁１８ｃは、吸引口１５の中心軸に対しては平行に形成されている。このため、フィルター部材Ｂを案内面１８ａに沿って直線的に移動させることで、該フィルター部材Ｂを吸引口１５に対して接近又は離隔させることが可能なように構成されている。
【００２１】
案内部１８を構成する溝１８ｂの上方には支持板１７がカバー１２の側壁１２ａと一体的に形成されており、該支持板１７には穴１７ａが形成されている。この支持板１７は、底板１１の載置部１１ａにボトル部材Ｃを載置したとき、該ボトル部材Ｃを構成する蓋体と接触して支持する機能を有するものである。
【００２２】
カバー１２の上面１２ｂには、吸引ポンプ１３のＯＮーＯＦＦを制御するためのスイッチ（図示せず）が設けられている。
【００２３】
カバー１２の側面１２ｃには、ペーシェントホース２を巻き付けるための巻付部材１が設けられている。この巻付部材１は、側面１２ｃから突出して形成された巻付部１ａと、該巻付部１ａの端部に形成され表面に複数の保持溝１ｃ、１ｄが形成されたフランジ部１ｂと、を有して構成されている。
【００２４】
巻付部１ａの側面１２ｃからの突出寸法や長さ寸法は特に限定するものではなく、予め在宅医療に必要とされるペーシェントホース２の長さを想定した寸法を有して形成されている。ペーシェントホース２は適度な剛性を有するため、巻付部１ａに巻き付けたとき、該巻付部１ａに密着することはなく、ルーズな状態でループ状に巻き付けられる。このような状態で巻き付けられたペーシェントホース２がフランジ部１ｂに接触することによって巻付部１ａからの離脱を防ぐように構成されている。
【００２５】
そして、ペーシェントホース２を巻付部１ａに巻き付けた後、該ペーシェントホース２の自由端２ｂをフランジ部１ｂに形成された保持溝１ｃ或いは保持溝１ｄに差し込むことで、安定した巻付状態を保持することが可能である。
【００２６】
吸引器に用いるペーシェントホース２としては太さの異なるものが規格化されている。このため、フランジ部１ｂに形成された保持溝１ｃ、１ｄは、互いに異なる太さのペーシェントホース２の自由端２ｂを保持対象として形成されている。即ち、保持溝１ｃ、１ｄは互いに異なる径からなる１８０度よりも僅かに大きい角度を持った円弧状の溝として形成されている。
【００２７】
上記の如く構成された保持溝１ｃ、１ｄでは、ペーシェントホース２の自由端２ｂを差し込んだとき、該ペーシェントホース２を保持溝１ｃ、１ｄによって確実に保持することが可能であり、保持されたペーシェントホース２は開放部分から簡単に離脱することはない。
【００２８】
フィルター部材Ｂは、フィルター保持体２１と、該フィルター保持体２１を着脱可能に支持する支持体２２とを有して構成されている。フィルター部材Ｂはボトル部材Ｃと本体Ａに配置した吸引ポンプ１３の間に配置され、ボトル部材Ｃから吸引ポンプ１３に向けて流れる空気を清浄化する機能を有する。また、フィルター部材Ｂは、ボトル部材Ｃに於いて過剰となった吸引物が流れ込んだとき、この吸引物が吸引ポンプ１３側に流れることを阻止する機能をも有する。
【００２９】
フィルター保持体２１は、内部に配置されたシート状のフィルターを厚さ方向に配置された上部体２１ａと下部体２１ｂによって挟持し、この挟持部２１ｃをシールすることで構成されている。上部体２１ａ及び下部体２１ｂには、夫々ホース差し状の保持体吸引口２１ａ１、保持体排気口２１ｂ１が形成されている。
【００３０】
支持体２２はフィルター保持体２１を着脱可能に支持するものであり、該フィルター保持体２１の下部体２１ｂ受け入れて保持する保持部が形成されており、該保持部の下部に接続部材２５が配置されている。また、支持体２２の下面には、本体Ａに設けた案内部１８の案内面１８ａと接触して案内される二つの被案内面２２ａと、これらの被案内面２２ａの間に形成され溝１８ｂに遊嵌する突起部２２ｂと、が形成されている。
【００３１】
支持体２２の保持部の下部に配置された接続部材２５は、柔軟性と弾力性を有する例えばシリコンゴムによって、接続口２５ａ、２５ｂを有するエルボ状に形成されている。また、接続部材２５の外周部の所定位置には一対の挟持フランジが形成されている。そして、接続口２５ａを保持部の内部に挿入するようにして保持部の穴に差し込んで、該穴を挟持フランジによって挟持することで、接続部材２５を支持体２２に取り付けることが可能である。
【００３２】
接続部材２５を支持体２２に取り付けたとき、接続口２５ａは保持部の内部に配置されて該保持部の開放部に向けて開口し、接続口２５ｂは支持体２２の下部に突出して接続口２５ａに対して直角に、且つ支持体２２の被案内面２２ａと平行な方向に開口する。そして、接続口２５ａには保持部に保持したフィルター保持体２１の保持体排気口２１ｂ１が差し込まれて接続する。また、接続口２５ｂは、フィルター部材Ｂを本体Ａに装着したとき、該本体Ａを構成するカバー１２の側壁１２ａに配置された吸引口１５に差し込まれて接続する。
【００３３】
ボトル部材Ｃは内部に吸引ポンプ１３で発生した吸引圧力が作用しており、患者から吸引した吸引物を収容し得るように構成されている。このため、ボトル部材Ｃは、吸引物を収容するボトル体３１と、該ボトル体３１を被蓋して気密を保持して閉鎖する蓋体３２と、を有して構成されている。
【００３４】
ボトル体３１は円筒状の透明容器として構成されており、内部に収容された吸引物の量や色などを外部から確認し得るように構成されている。特に、ボトル体３１の側面には図示しないメモリが形成されており、該メモリによって収容した吸引物の量を確認し得るように構成されている。
【００３５】
蓋体３２は、上面の所定位置にペーシェントホース２を取り付けるための取付部３３が形成され、側面の所定位置にフィルター部材Ｂを構成するフィルター保持体２１の保持体吸引口２１ａ１と接続する接続部３４が形成されている。
【００３６】
取付部３３はホース差し状に形成されており、蓋体３２を厚さ方向に貫通して通気可能なように構成されている。従って、取付部３３にペーシェントホース２の端部２ａを差し込んで取り付けることで、ボトル体３１内の吸引圧力を患部に作用させて患者から吸引し得るように構成されている。
【００３７】
接続部３４はボトル体３１とフィルター部材Ｂを接続して吸引圧力を作用させるものである。このため、接続部３４は、蓋体３２の下面側から側面に貫通してＬ字状に形成され、該Ｌ字状部分の先端にフィルター部材Ｂのフィルター保持体２１に形成された保持体吸引口２１ａ１が差し込まれる接続チューブ３５が取り付けられている。
【００３８】
また、蓋体３２の下面からは接続部３４を構成する逆止弁機構３４ａが突設されている。この逆止弁機構３４ａはフロート３４ｂを有しており、ボトル体３１に収容された吸引物の増加に伴ってフロート３４ｂが最上部に到達したとき、接続部３４を遮断して吸引物がフィルター部材Ｂに流れることを阻止し得るように構成されている。
【００３９】
接続チューブ３５は、柔軟性と弾力性を有する例えばシリコンゴムによって成形されている。接続チューブ３５の一方の端部は、接続部３４の接続口に嵌装されており、他方の端部がフィルター部材Ｂの保持体吸引口２１ａ１を差し込んで接続し得るように構成されている。
【００４０】
上記の如く構成された本体Ａ、フィルター部材Ｂ、ボトル部材Ｃによって構成された吸引器の使用手順について簡単に説明する。
【００４１】
吸引器の蓋体３２に設けた接続部３３にペーシェントホース２の端部２ａを差し込み、該接続部３３から延長されたペーシェントホース２を本体Ａに設けた巻付部材１の巻付部１ａに巻き付け、自由端２ｂを保持溝１ｃ或いは保持溝１ｄに差し込んで保持しておく。この状態で吸引器を所定の使用場所に搬送する。
【００４２】
所定の使用場所に搬送した吸引器を設置し、自由端２ｂを保持溝１ｃ或いは保持溝１ｄから離脱させ、カバー１２の上面１２ｂに設けたスイッチを操作して吸引ポンプ１３を駆動することで、ボトル部材Ｃの内部を介してペーシェントホース２に吸引圧力を作用させる。そして、摘み１４ａを操作して吸引圧力を所望の圧力に調整し、ペーシェントホース２によって吸引することが可能である。
【００４３】
また、吸引が終了した後、必要に応じて摘み１４ａを操作して吸引圧力を低下させると共にスイッチを操作して吸引ポンプ１３の駆動を停止する。そして、ペーシェントホース２を巻付部材１の巻付部１ａに巻き付けた後、自由端２ｂを保持溝１ｃ、１ｄに差し込んで保持させた後、吸引器を所定の保管場所に搬送する。
【００４４】
尚、吸引物を吸引する過程で、ペーシェントホース２を適宜消毒することは当然である。
【産業上の利用可能性】
【００４５】
本発明に係る吸引器は、吸引ポンプ１３が本体Ａに内蔵されているため、在宅医療のみに関わらず簡易な移動可能な吸引器として利用することが可能である。
【符号の説明】
【００４６】
Ａ                本体
Ｂ                フィルター部材
Ｃ                ボトル部材
１                巻付部材
１ａ              巻付部
１ｂ              フランジ部
１ｃ、１ｄ        保持溝
２                ペーシェントホース
２ａ              端部
２ｂ              自由端
１１              底板
１１ａ            載置部
１２              カバー
１２ａ            側壁
１２ｂ            上面
１２ｃ            側面
１３              吸引ポンプ
１３ａ            吸引ホース
１３ｂ            排気ホース
１４              圧力調整器
１４ａ            摘み
１５              吸引口
１６              排気フィルター
１７              支持板
１７ａ            穴
１８              案内部
１８ａ            案内面
１８ｂ            溝
１８ｃ            起立壁
２１              フィルター保持体
２１ａ            上部体
２１ａ１          保持体吸引口
２１ｂ            下部体
２１ｂ１          保持体排気口
２１ｃ            挟持部
２２              支持体
２２ａ            被案内面
２２ｂ            突起部
２５              接続部材
２５ａ、２５ｂ    接続口
３１              ボトル体
３２              蓋体
３３              取付部
３４              接続部
３４ａ            逆止弁機構
３４ｂ            フロート
３５              接続チューブ
【図１】
0006580317.tif 000002
【図２】
0006580317.tif 000003
【図３】
0006580317.tif 000004
【図４】
0006580317.tif 000005